Podtech/llm-jp-corpus-v4-ja_patent huggingface dataset:
(57)【要約】      （修正有）【課題】樹脂系現像ローラースリーブの再使用頻度を高めることと再使用時の印字品質を高める。【解決手段】一度使用された現像ローラースリーブをサンドペーパー等で研磨することにより使用時に付いた傷や汚れを取り除き均一に研磨することで再使用の頻度を上げ、印字品質を上げることを手段としている。尚、均一に研磨するため、モーターを使用し回転させ、又手作業で研磨することで、一度使用された状態の差を調整する。【選択図】図１
0003114761.tif 000002
【実用新案登録請求の範囲】
【請求項１】
レーザープリンター、複写機の消耗品であるトナーカートリッジ内に組み込まれている部品の樹脂系現像ローラースリーブ表面を研磨することにより再使用を可能にする。
研磨の際はスリーブ自体を回転させ、サンドペーパー等により一定方向に研磨することにより均一な研磨を施す。
【請求項２】
施工は機種によって効果が変化するために研磨する際は機種によって研磨材の番数を変更することにより対応する。
又、サンドペーパー等を用いて手作業で施すことにより非磁性系に用いられる樹脂系のスリーブに対応するものである。
【考案の詳細な説明】
【技術分野】
【０００１】本発明は、電子写真分野においてレーザープリンター、複写機の消耗品であるトナーカートリッジユニットに組み込まれている樹脂系現像ローラースリーブが磨耗劣化、汚れによって品質の低下が見られるものに研磨を施し、再使用を可能とするものであるがサンドペーパー等にて手作業で施すことにより非磁性系に用いられる樹脂系のスリーブに対応するものである。
【背景技術】
【０００２】従来の再生方法の中ではそのまま使用したり溶剤等で拭くなどしたりすることが主流だが、磨耗傷や汚れの酷いものなど再使用出来ない場合が多く、再使用率を下げる原因となっている。【０００３】一度使用された状態のまま再使用した場合、磨耗状態や汚れ具合が個体により同じ状態ではないため印字品質に差が発生する。
【考案の開示】
【考案が解決しようとする課題】
【０００４】解決しようとする問題点は樹脂系現像ローラースリーブの再使用の際の印字品質を上げることと、樹脂系スリーブの再使用を可能とすることが課題となる。
【課題を解決するための手段】
【０００５】本発明は樹脂系スリーブを軸に通した状態で回転させ、サンドペーパー等により研磨することでスリーブの状態を確認しながら再使用できる状態へ施工できることを手段とする。
【考案の効果】
【０００６】本発明により従来限られていた再利用ライフを伸ばすことが可能となり、トナーカートリッジの再生産回数を増やすことが可能となる。
又、スリーブの選別等により廃棄されていたカートリッジも再生産出来ることから、廃棄される量が低下することとコストパフォーマンス効果が得られる。
【考案を実施するための最良の形態】
【０００７】モーターにチャックが取り付けられた装置に現像ローラースリーブを現像ローラーユニットごと取り付け回転させる。
そのときチャックと反対側は現像ローラーがぶれない様に支えを付けておく。
回転させた現像ローラーにサンドペーパーを空回りしない程度に当て、研磨する。
モーターは速度調整できるものが望ましく、状態により速度を調整する。
使用するサンドペーパーは状態により４００番〜１５００番程度のものを状態により変更し使用する。
【実施例１】
【０００８】以下、図面に従って一実例の説明を行う。
▲１▼の現像ローラーユニットを▲２▼の現像ローラースリーブが付いた状態で▲３▼のモーターがセットされた▲４▼のチャックにセットする。
▲５▼の受け軸に現像ローラーユニットの反対側をセットし回転によるぶれを防ぎ、回転させる。
【実施例２】
【０００９】現像ローラースリーブの下側から▲６▼のサンドペーパーをあてがい、ゆっくりと▲７▼の方向へスライドさせていく。
このときに状態を見ながらスライドの速さとサンドペーパーをあてがう力を調整する。
【図面の簡単な説明】
【００１０】
【図１】チャックを取り付けた状態の現像ローラースリーブと施工の内容を示した横面図
【符号の説明】
【００１１】▲１▼現像ローラーユニット
▲２▼現像ローラースリーブ
▲３▼回転モーター
▲４▼モーターとの接続チャック
▲５▼受軸
▲６▼サンドペーパー
▲７▼研磨方向
【図１】
0003114761.tif 000003
【手続補正書】
【提出日】平成17年7月6日(2005.7.6)
【手続補正１】
【補正対象書類名】実用新案登録請求の範囲
【補正対象項目名】全文
【補正方法】変更
【補正の内容】
【実用新案登録請求の範囲】
【請求項１】
レーザープリンター、複写機の消耗品であるトナーカートリッジ内に組み込まれている部品の樹脂系現像ローラースリーブにおいて、表面研磨処理を行なうことで再利用を可能とした樹脂系現像ローラースリーブ。
【請求項２】
レーザープリンター、複写機の消耗品であるトナーカートリッジ内に組み込まれている部品の樹脂系現像ローラースリーブにおいて、機種によって異なる番数の研磨材により表面研磨処理を行なうことで再利用を可能とした樹脂系現像ローラースリーブ。
(57)【要約】      （修正有）【課題】対象物とサイズ認識器又はサイズ認識シールを一緒に撮影することで対象物の大きさをおおまかに把握し、消費者のサイズ誤認を緩和する。【解決手段】サイズ認識器については、三角柱又は多角形、円柱状の棒を２ｃｍ、５ｃｍ、１０ｃｍ、２０ｃｍ、３０ｃｍ、任意のサイズピッタリにカットしたものにサイズ・宣伝広告を印刷又は刻印したもの。サイズ認識シールについてはシールを２ｃｍ、５ｃｍ、１０ｃｍ、２０ｃｍ、３０ｃｍ、任意のサイズピッタリにカットしたものにサイズ・宣伝広告を印刷又は刻印したもの。【選択図】  図１
0003114738.tif 000002
【実用新案登録請求の範囲】
【請求項１】
任意のサイズにカットされた棒状または板状のものを対象物の近くに置き撮影することで、対象物のおおよそのサイズがわかるもの
【請求項２】
任意のサイズにカットされたシール状のものを対象物に張り撮影することで、対象物のおおよそのサイズがわかるもの
【考案の詳細な説明】
【考案の詳細な説明】
【産業上の利用分野】
【０００１】この考案はサイズ認識器およびサイズ認識シールを対象物と一緒に撮影することで、対象物のサイズを比較認識できるようにする為のものである。
【背景技術】
【０００２】従来は、ものさし・ライター・タバコと一緒に撮影をしたり、別にサイズを記入したりしていた。
【考案が解決しようとする課題】
【０００３】これは次のような欠点があった。
（イ）ものさし・ライター・タバコと一緒に撮影すると対象物のサイズはほぼ認識できるが、視覚的（美的）に悪くなってしまう。
（ロ）サイズを記入しても、ものさし及びメジャー片手にサイズを認識していた。
（ハ）比較するものまたはサイズの記入がないと、対象物のサイズを誤認識する。
本考案は、これらの欠点を除く為になされたものである。
【課題を解決するための手段】
【０００４】（イ）サイズ認識器については、図１・図２のように三角柱又は多角形、円柱状の棒を２ｃｍ、５ｃｍ、１０ｃｍ、２０ｃｍ、３０ｃｍ、任意のサイズピッタリにカットしたものを、対象物と一緒に撮影することで対象物のサイズを比較認識するものである。
（ロ）サイズ認識シールについては図３・図４のように２ｃｍ、５ｃｍ、１０ｃｍ、２０ｃｍ、３０ｃｍ、任意のサイズピッタリにカットしたシールを対象物に貼り撮影することで対象物のサイズを比較認識するものである。
（ハ）サイズ認識器およびサイズ認識シールにサイズを明記する。
（ニ）サイズ認識器およびサイズ認識シールに会社情報および宣伝広告をのせることも出来る。
【作用】
【０００５】サイズ認識器およびサイズ認識シールを対象物と撮影することで、サイズをほぼ認識できる。
【実施例】
【０００６】以下、本案の実施例について説明する。
（イ）サイズ認識器は棒状の材料をカットすることで縦置き横置きに対応できる。
（ロ）サイズ認識器およびサイズ認識シールにサイズを明記する。
（ハ）サイズ認識器およびサイズ認識シールに会社情報および宣伝広告をのせることも出来る。
（ニ）サイズ認識器およびサイズ認識シールをサイズごとに色分けすることも出来る。
【考案の効果】
【０００７】（イ）現代は商品の現物を見ないで購入する消費者が増えている（ネットオークション・ネットショッピング、通信販売、カタログ販売など）が、購入後の「思ったより小さい」「思ったより大きい」といった問題を、本案の器具およびシールを使って緩和できる。
（ロ）本考案の器具およびシールが広く知られることで、対象物にライターやたばこを置くことと同じ結果が得られうえ、視覚的効果も向上する。
（ハ）サイズ誤認により起こる問題を軽減できる。
（ニ）会社名や宣伝広告を印刷および刻印することで、ブランド化できる。
【図面の簡単な説明】
【０００８】
【図１】本考案、サイズ認識器（横型）の斜視図である。
【図２】本考案、サイズ認識器（縦型）の斜視図である。
【図３】本考案、サイズ認識シール（横型）の斜視図である。
【図４】本考案、サイズ認識シール（縦型）の斜視図である。
【符号の説明】
【０００９】１    本体
２    サイズ
３    宣伝広告
４    粘着シール
【図１】
0003114738.tif 000003
【図２】
0003114738.tif 000004
【図３】
0003114738.tif 000005
【図４】
0003114738.tif 000006
【手続補正書】
【提出日】平成16年10月1日(2004.10.1)
【手続補正１】
【補正対象書類名】実用新案登録請求の範囲
【補正対象項目名】全文
【補正方法】変更
【補正の内容】
【実用新案登録請求の範囲】
【請求項１】
対象物の近くに置き撮影することで、対象物のおおよそのサイズが認識できる任意のサイズにカットされた棒状または板状のサイズ認識器。
【請求項２】
対象物に貼り撮影することで対象物のおおよそのサイズが認識できる任意のサイズにカットされたサイズ認識シール。
(57)【要約】      （修正有）【課題】就寝中に着用する伸縮自在な素材の腹巻きに、腰椎下部や脊柱起立筋に接触することなくマットレスや敷き布団と腰部の隙間を埋めて姿勢の安定をもたらし、かつ臀部筋肉に接触することなく骨盤内に位置する仙骨角度を保持安定させる形状機能のパッドを付加することである。【解決手段】腰椎下部と脊柱起立筋に接触することなくその両側に左右対称で骨盤腸骨に沿う直線形状の二つのパッド２によって腰部の隙間を埋めて就寝時の姿勢を安定させ、更に臀部筋肉に接触することなく骨盤内の仙骨の位置に仙骨角度を安定させるためのパッドを付加する。以上計三つのパッドで構成される形状機能のパッドを伸縮自在な素材の腹巻き１に取り付ける。【選択図】図１
0003114538.tif 000002
【実用新案登録請求の範囲】
【請求項１】
就寝時着用の腹巻きに付加するパッドの形状機能。すなわち腰椎下部や脊柱起立筋に接触しないように左右の腸骨上部の位置に二つの直線状の部分を付加して姿勢を安定させ、梨状筋や坐骨神経を含んでいる臀部筋肉に接触することなく骨盤内の仙骨の位置に仙骨角度を保持安定させる部分を付加して計３つの部分で構成される形状機能を持ったパッドを伸縮自在な素材の腹巻きに付加する。
【考案の詳細な説明】
【技術分野】
【０００１】  本考案は、就寝時着用の腹巻きに付加するパッド形状機能に関する。
【背景技術】
【０００２】  従来の腹巻きには就寝時に腰部の姿勢を安定させるパッド機能を付加したものがある（例えば、特許文献１参照）。
【特許文献１】特開平９−２２４９６６「腰パッド付加機能を備えた腹巻」
【０００３】  特許文献１のパッド形状について説明すると、就寝中にマットや敷き布団又は寝具と腰部の隙間を埋めるような形状となっており、隙間を埋めることによって単位面積あたりに掛かる体重が分散されるため腰部や臀部筋肉の緊張やうっ血を起こしにくく、更に脊椎の自然湾曲姿勢を安定させ腰部の体重負荷を軽減させる効果がある。
【考案の開示】
【考案が解決しようとする課題】
【０００４】  しかし特許文献１の従来パッドは就寝中、身体とマット又は布団など寝具との隙間である腰椎下部全体が接触する形状となっており、腰椎下部に障害がある場合やその左右の脊柱起立筋に炎症がある場合などそれらへの部位への相応の負担や刺激はさけられない。【０００５】  また従来のパッドは骨盤内の仙骨への考慮がされていない。仙骨の角度は骨盤の歪みと関係することが知られている。また通常仙骨は垂線に対して前方へ前傾しているが、加齢的変化によって仙骨角度が後傾し垂線に平行に近づくことが知られている（例えば非特許文献１の「第三章  バランス診断―骨格の発育と加齢的変化」のＷＰＲ計測統計を参照）。
【非特許文献１】エンタープライズ社出版「症例で見る  バランス医歯学」（山田  晶著）
【課題を解決するための手段】
【０００６】  就寝時着用の腹巻きに付加するパッドの形状機能。すなわち腰椎下部や脊柱起立筋に接触しないように左右の腸骨上部の位置に二つの直線状の部分を付加して姿勢を安定させ、梨状筋や坐骨神経を含んでいる臀部筋肉に接触することなく骨盤内の仙骨の位置に仙骨角度を保持安定させる部分を付加して計３つの部分で構成される形状機能を持ったパッドを伸縮自在な素材の腹巻きに付加する。
【考案の効果】
【０００７】  就寝中にパッドが腰椎下部に接触しないので当該部位の障害や、左右の脊柱起立筋の炎症などを刺激せず、マットや敷き布団など寝具と腰部の隙間を埋めて脊椎の自然湾曲を安定させる効果がある。【０００８】  臀部筋肉に接触せずに仙骨の位置にパッドを付加しているために仙骨角度を安定に保ち、一時的な仙骨の歪みや、仙骨角度の加齢的変化の尚早を予防することができる。また就寝時の腹式呼吸を補助する効果がある。【０００９】  計三つのパッドにより腰部や臀部の単位面積あたりに掛かる負担が減り就寝中のうっ血や緊張を軽減する。【００１０】  伸縮自在の腹巻きに取り付けることにより、就寝時着用の際に微妙な位置決めが可能であり寝返りの際にも位置がずれない。
【考案を実施するための最良の形態】
【００１１】  腰椎下部に接触することなく左右の腸骨に沿った二つの直線形状部分と、仙骨部分に付け加えた部分と計三つの部分を伸縮自在な腹巻きに取り付ける。
【実施例１】
【００１２】  図１のように計三つの部分から成る左右対称のパッドを伸縮自在な腹巻きに取りつける。図３と図４のように、パッドは腹巻の内側でも外側に取り付けることもできる。また身体に着用したときの就寝時の位置関係は図５に示す通りである。
【図面の簡単な説明】
【００１３】
【図１】分離した三つのパッド腹巻きの外側に付けた装着時背面透視図である。
【図２】分離した三つのパッドを腹巻きの外側に付けた平面図である。
【図３】分離した三つのパッドを腹巻きの外側に付けた断面図である。
【図４】分離した三つのパッドを腹巻きの内側に付けた断面図である。
【図５】パッドを腹巻きの内側に付けた就寝着用時の断面概観図である。
【符号の説明】
【００１４】  １  腹巻き
２  パッド
【図１】
0003114538.tif 000003
【図２】
0003114538.tif 000004
【図３】
0003114538.tif 000005
【図４】
0003114538.tif 000006
【図５】
0003114538.tif 000007
(57)【要約】【課題】灯油ホームタンク付設のオイルストレーナーや接続する８φ銅管周辺を覆う保護カバーを取り付け、故意による８φ銅管切断事故や積雪による破損事故を解消させるものである。【解決手段】灯油ホームタンク１０のオイルストレーナー１１を中心とした８φ銅管の配管スペースを覆う保護カバー１を取付けることにより切断、破損事故を防止する。【選択図】図１
0003114535.tif 000002
【実用新案登録請求の範囲】
【請求項１】
灯油ホームタンク下部のオイルストレーナーを中心とした配管スペースを覆う外筒パイプを灯油ホームタンク底部接合部に留め金具で固定し、外筒パイプと互いに摺動自在に嵌合する内筒パイプが下にさがらないように帯バンドで固定し安定させ、オイルストレーナーや８φ銅管の様子が目視で確認できる透明樹脂板を前述外筒パイプの側面に設け、オイルストレーナーなどのメンテナンスが容易に行なえる確認窓も前述外筒パイプの側面に設けた灯油管保護カバー。
【考案の詳細な説明】
【技術分野】
【０００１】本考案は、灯油などの各種オイル類等を貯蔵するのに用いられるオイルタンクの灯油管を保護することに関する。
【背景技術】
【０００２】従来の灯油ホームタンクは、タンク下部の露出部分を保護するものがないために、８φ銅管の切断事故や積雪による破損事故で灯油の流出事故が発生している。
【考案の開示】
【考案が解決しようとする課題】
【０００３】本考案は、灯油ホームタンク付設のオイルストレーナー及び接続する８φ銅管周辺部が通常露出状態のため、故意による８φ銅管切断事故や積雪による破損事故の発生により、灯油の流出事故による土壌汚染や火災の発生の危険性などの大きな問題があった。
【課題を解決するための手段】
【０００４】灯油ホームタンク１０のオイルストレーナー１１を中心とした８φ銅管の配管スペースを覆う外筒パイプ２を灯油ホームタンク底部接合部９に留め金具３で固定し、内筒パイプ４を帯バンド５で固定し安定させ、保護カバー１本体は地中に埋設または既設舗装面等にビス止めにて固定する。
【考案の効果】
【０００５】上述したように本考案の保護カバーは、オイルストレーナーを中心とした８φ銅管の配管スペースを覆うことにより、切断事故や破損事故による灯油の流出事故を防止できる。
【考案を実施するための最良の形態】
【０００６】以下、本考案の実施の形態について説明する。
図１に示す灯油ホームタンク１０は約５００リットルの灯油を貯蔵する家庭用の屋外に設置されているものであり、オイルストレーナー１１は灯油ストーブ等と灯油管で連結され、灯油はその自重により送油される。
灯油管保護カバー１は灯油ホームタンク１０下部のオイルストレーナー１１を中心とした配管スペースを覆う外筒パイプ２を灯油ホームタンク底部接合部９に外筒パイプ２を留め金具３の留め金具用ボルト８で固定し、外筒パイプ２と互いに摺動自在に嵌合する内筒パイプ４が下にさがらないように帯バンド５で固定し安定させ、オイルストレーナー１１や８φ銅管からの油漏れなどの異常が確認できるよう見える位置に透明樹脂板６を前述外筒パイプ２の側面に設け、オイルストレーナー１１のハンドルの開閉が容易に行なえる位置に点検や作業の為の開口部となる確認窓７も前述外筒パイプ２の側面に設けた灯油管保護カバー１を地中に埋設した状態を示す断面図である。
なお、本考案の保護カバー本体の形状は、該保護カバーの目的である切断事故や破損事故の防止であり、従って円形立体及び種々の形状が考えられる。
【図面の簡単な説明】
【０００７】
【図１】本考案灯油管保護カバーの灯油ホームタンク本体への装着状態断面図。
【図２】本考案灯油管保護カバーの灯油ホームタンク本体への装着状態正面図。
【符号の説明】
【０００８】１：灯油管保護カバー
２：外筒パイプ
３：留め金具
４：内筒パイプ
５：帯バンド
６：透明樹脂板
７：確認窓
８：留め金具用ボルト
９：灯油ホームタンク下部接合部
１０：灯油ホームタンク
１１：オイルストレーナー
【図１】
0003114535.tif 000003
【図２】
0003114535.tif 000004
(57)【要約】      （修正有）【課題】この種の装置は、人などの接近や明るさを感知して足元ランプを光らせるもので、段差などの危険箇所に人が近づくと音と光で知らせることはなく、また、商用電源コンセントに直接取り付ける照明器具がほとんどで、段差など危険箇所で商用電源コンセントのない箇所に設置出来ないという課題があった。【解決手段】赤外線センサー２と明暗センサー３の２種類のセンサーを併用し、宅内や施設内の段差などの危険箇所に対象人物が近づくと、赤外線センサーで人を感知し、明暗センサーで周囲の明るさを検知し、明るければ音声チャイムだけを鳴らし、暗い場合は音声チャイムと足元ランプを点灯させて、音と光で危険箇所を知らせるようにするとともに、電源部６を本体部１とは分離させて、最寄りの商用電源コンセントに接続できるようにして、従来の課題を解決させるものである。【選択図】図１
0003114539.tif 000002
【実用新案登録請求の範囲】
【請求項１】
本考案は、赤外線センサー、明暗センサー、音声チャイムと足元ランプを一つの筐体に組み込んだ本体部と、本体部に電源を供給する電源部で構成され、本体部を宅内や施設内の段差などの危険箇所に設置し、電源部を商用電源コンセントに接続し、本体部の前を人が通ると赤外線センサーで感知し、音声チャイムを鳴らすと共に、明暗センサーで周囲が暗いと判定すると、足元ランプも点灯して、視覚障害者や高齢者に危険箇所を音と光で知らせるようにした段差アラーム装置。
【考案の詳細な説明】
【技術分野】
【０００１】  本考案は、視覚障害者や高齢者への、宅内や施設内の段差などの危険箇所の報知に関する。
【背景技術】
【０００２】  従来、宅内や施設内で段差などの危険個所を報知するものはなく、廊下などで人などが接近すると足元ランプが点灯したり、暗くなると足元ランプが点灯したりする、単一動作の照明装置であった。
【考案の開示】
【考案が解決しようとする課題】
【０００３】  しかしながら、上記従来の照明装置は、人などの接近や明るさを感知して照明を光らせることは出来るが、段差などの危険箇所で人が近づくと音声チャイムで知らせることはなく、また、商用電源コンセントに直接取り付けるものがほとんどで、段差などの危険箇所で商用電源コンセントがない箇所に設置出来ないという問題があった。
【課題を解決するための手段】
【０００４】  本考案は、赤外線センサー、明暗センサー、音声チャイムと足元ランプを一つの筐体に組み込んだ本体部と、本体部に電源を供給する電源部で構成される。宅内や施設内の段差などの危険箇所に本体部を設置し、電源部は商用電源コンセントに接続する。本体部に対象人物が近づくと、赤外線センサーで人を感知し、明暗センサーで周囲の明るさを検知し、明るければ音声チャイムだけを鳴らし、暗い場合は音声チャイムと足元ランプを点灯させて、音と光で危険箇所を知らせるようにするとともに、電源部を本体部とは分離させて、最寄りの商用電源コンセントに接続できるようにして、従来の問題を解決させるものである。
【考案の効果】
【０００５】  本考案は上記実施例より明らかなように、宅内や施設内の段差などの危険箇所に本体部を設置する。本体部で対象人物を感知し、周囲が明るければ音声チャイムを鳴らし、周囲が暗い場合は音声チャイムを鳴らし、足元ランプを点灯させて、危険箇所を知らせる効果を有する。さらに電源部は本体部の設置箇所から離れた所の商用電源コンセントに接続できるようにして、本体部の危険箇所への設置を容易にする効果も有する。
【考案の実施するための最良の形態】
【０００６】  赤外線センサー、明暗センサー、音声チャイムと足元ランプを一つの筐体に組み込んで本体部を構成する。さらに、本体部を駆動するための電源を供給する電源部で構成する。宅内や施設内の段差などの危険個所に設置された本体部に、対象人物が近づくと、本体部に組み込まれた赤外線センサーが対象人物を検知するとともに、明暗センサーが本体部周辺の明るさを判定し、基準値以上の明るさであれば音声チャイムだけを鳴らす。明るさが基準値以下であれば、音声チャイムを鳴らし、さらに足元ランプを一定時間、点灯させ、対象人物に危険箇所の存在を知らせるものである。
【実施例】
【０００７】  図１は本考案の実施例である段差アラーム装置の概略外観を示すものである。図１において、１は本体部、２は赤外線センサー、３は明暗センサー、４は音声チャイム用スピーカ、５は足元ランプ、６は電源部である。【０００８】  図２は本考案の実施例である段差アラーム装置の構成概略ブロック図を示すものである。図２において、１は本体部、２は赤外線センサー、３は明暗センサー、４は音声チャイム用スピーカ、５は足元ランプ、６は電源部、１１は赤外線センサー回路、１２は明暗センサー回路、１３はセンサー検知判定回路、１４は音声チャイム発生回路、１５はランプ点灯回路、１６は  対象人物である。【０００９】  次に上記実施例の動作について説明する。図１において実施例の本体部１を段差などの危険箇所に設置する。次に、電源部６を商用の電源コンセントに接続する。【００１０】  設置された本体部１に対象人物１６が近づくと、本体部１の赤外線センサー２で感知し、赤外線センサー回路１１から検知信号がセンサー検知判定回路１３に送られる。さらに、明暗センサー３の信号は、明暗センサー回路１２を通してセンサー検知判定回路１３に送られる。明暗センサー回路１２からの信号が明るさのしきい値を越えていれば、センサー検知判定回路１３は本体部１の周辺が明るいと判断し、音声チャイム発生回路１４のみに起動をかけ、音声チャイム用スピーカ４に音声チャイムを出力させる。【００１１】  また、明暗センサー回路１２からの信号が明るさのしきい値を越えなければ、センサー検知判定回路１３は本体部１の周辺が暗いと判断し、音声チャイム発生回路１４とランプ点灯回路１５に起動をかけ、音声チャイム用スピーカ４に音声チャイムを出力させるとともに、足元ランプ５を点灯させる。センサー検知判定回路１３は、足元ランプ５を点灯後、一定時間が経過するとランプ点灯回路１５に終了信号を出力し、足元ランプ５を消灯させるようにしている。
【図面の簡単な説明】
【図１】本考案の実施例の段差アラーム装置の概略外観図。
【図２】本考案の実施例の段差アラーム装置の構成概略ブロック図。
【符号の説明】
１          本体部
２          赤外線センサー
３          明暗センサー
４          音声チャイム用スピーカ
５          足元ランプ
６          電源部
１１        赤外線センサー回路
１２        明暗センサー回路
１３        センサー検知判定回路
１４        音声チャイム発生回路
１５        ランプ点灯回路
１６        対象人物
【図１】
0003114539.tif 000003
【図２】
0003114539.tif 000004
(57)【要約】【課題】集音器の送受話の音声が聞き取り易く会話に集中でき、寝たきりの人で手が不自由でも手放しで聞ける。使い易い大きさの集音器で分解できてコンパクトに収納できる。チューブを複数繋げられるので、会話の距離の制限がなく、離れた部屋同士の会話ができる。お腹の中の胎児に話しかけたり、幼児と遊びながら言葉を教える母子のコミュニケーションの道具や競技場でも使用できる。以上の課題を解決できるカチューシャ付ジョイント集音器を提供する。【解決手段】カチューシャ付ジョイント集音器は送受話の音声伝達部品として取り外しできる複数連結可能なチューブ（１）を設け、繋がったチューブ（１）の左先端部にドーム型集音部（２）を設け、チューブ（１）の反対側の右先端部にカチューシャ（３）を取り外し可能な耳当て用ドーム型集音部（４）を設けた集音器として使用できることを特徴とする。【選択図】図１
0003114536.tif 000002
【実用新案登録請求の範囲】
【請求項１】
複数連結可能なチューブ（１）の左先端部にドーム型集音部（２）を設け、チューブ（１）の反対側の右先端部にカチューシャ（３）を取り外し可能な耳当て用ドーム型集音部（４）を設けたカチューシャ付ジョイント集音器。
【考案の詳細な説明】
【技術分野】
【０００１】  この考案は、寝たきりの耳の不自由な人や大部屋の病室での患者と家族との会話、離れた場所同士の会話、野球・サッカー等の競技場の騒音時の会話等に使用できるカチューシャ付ジョイント集音器に関するものである。
【背景技術】
【０００２】  従来、ヘッドホンタイプの集音器はあった。【０００３】  従来、イヤホンタイプの集音器は受話部分の集音部は小さかったり、耳の穴に差し込んで違和感があった。【０００４】  従来、手が不自由な人は集音器を押さえにくく使い辛かった。【０００５】  従来、病室での会話の音量を気にしたり、騒音の場所では聞き取り難かった。
【考案の開示】
【考案が解決しようとする課題】
【０００６】  従来の集音器には次のような欠点があった。
（イ）送話のとき集音器の送話部分を口から遠ざけたり真正面に持ってこないと声が横方向に分散し聞きとり難かった。
（ロ）チューブに繋がった集音器では長さが固定されていて一定の距離しか離れて話せなかった。
（ハ）耳かけ式の耳の穴に入れる集音器では装着時に穴に触れて違和感があった。
（ニ）市販の集音器の中には手放しで聞き難いものがあった。
（ホ）親子で遊びながら言葉を教える集音器は市販されていなかった。
本考案は、以上の欠点を無くすためになされたものである。
【課題を解決するための手段】
【０００７】  集音器の送受話部分の音声伝達部品として複数連結可能なチューブ（１）を設ける。【０００８】  複数繋がったチューブ（１）の左先端部にドーム型集音部（２）を設ける。【０００９】  複数繋がったチューブ（１）の反対側の右先端部にカチューシャ（３）を取り外し可能な耳当て用ドーム型集音部（４）を設ける。
本考案は、以上の構成よりなるカチューシャ付ジョイント集音器である。
【考案の効果】
【００１０】  集音器の送受話部分が耳を覆うドーム型集音部なのでドームの外に音が漏れ難く会話に集中できる。ドーム型集音部は樹脂製で柔らかく押さえても痛くなく、ある程度の大きさなので使い勝手が良い。耳の穴に直接触れないので違和感が無い。【００１１】  チューブを複数繋げられるので、会話の距離の制限がない。離れた部屋同士の会話ができる。【００１２】  お腹の中の胎児に話しかけたり、幼児と遊びながら言葉を教える母子のコミュニケーションの道具に使用できる。【００１３】  カチューシャ付なので手放しで会話ができる。取り外しも可能で送話にも使用できる。
【考案を実施するための最良の形態】
【００１４】  以下、本考案の実施の形態について説明する。
集音器の送受話部分の音声伝達部品として長さが調整でき距離を自由に変更できる複数連結可能なチューブ（１）を設ける。複数繋がったチューブ（１）の左先端部に送受話に使用するドーム型集音部（２）を設ける。複数繋がったチューブ（１）の反対側の右先端部に頭に挟んで固定するカチューシャ（３）を取り外し可能な送受話に使用する耳当て用ドーム型集音部（４）を設ける。
本考案は、以上のような構造でこれを使用する時は、耳当て用ドーム型集音部（４）のカチューシャ挿入口（６）にカチューシャ（３）を取り付けておき、会話するときに複数連結可能なチューブ（１）にジョイント挿入口（５）で繋がったドーム型集音部（２）を使用して、耳当て用ドーム型集音部（４）を使用する人と会話ができる。耳当て用ドーム型集音部（４）を使用する人が送話するときはカチューシャ（３）を取り外して使用する。
【実施例１】
【００１５】  本考案はカチューシャを取り外してお互い送受話に使用でき、部品を分解できる。
【実施例２】
【００１６】  本考案は耳当て用ドーム型集音部にカチューシャを取り付けて座っている人と寝ている人とで会話ができる。
【実施例３】
【００１７】  本考案はチューブを複数繋げて距離が離れていても音量を気にせず会話ができる。
【実施例４】
【００１８】  本考案は大人と胎児や幼児とのコミュニケーションの道具として使用できる。
【実施例５】
【００１９】  本考案はスポーツ観戦時の応援で声が聞こえ難いときの道具として使用できる。
【図面の簡単な説明】
【００２０】
【図１】  本考案の実施方法を示した正面図である。
【図２】  本考案の実施方法を示した分解正面図である。
【図３】  本考案のドーム型集音部の左側面図である。
【図４】  本考案の使用状態を示した参考図である。
【符号の説明】
【００２１】１    チューブ
２    ドーム型集音部
３    カチューシャ
４    耳当て用ドーム型集音部
５    ジョイント挿入口
６    カチューシャ挿入口
７    送話者
８    受話者
【図１】
0003114536.tif 000003
【図２】
0003114536.tif 000004
【図３】
0003114536.tif 000005
【図４】
0003114536.tif 000006
(57)【要約】【課題】  電車の通るレールに置き石があった場合に、早期発見し車輪が置き石を踏む前に掃除ができるレール用置き石掃除装置を提供する。【解決手段】  電車の正面の上部分に、光線スイッチなどを利用したセンサーを設け、電車の正面の下部分に、上下可動式モップを設けて、上下可動式モップに、リニアステッピングモータなどの直線運動をするモータを設け、センサーが感知しスイッチが入ると、電車の中の電源を通じて直線運動をするモータが１ストローク起動することを特徴とするレール用置き石掃除装置。【選択図】  図１
0003114540.tif 000002
【実用新案登録請求の範囲】
【請求項１】
電車の正面の上部分に、光線スイッチなどを利用したセンサーを設け、電車の正面の下部分に、上下可動式モップを設けて、上下可動式モップに、リニアステッピングモータなどの直線運動をするモータを設け、センサーが感知しスイッチが入ると、電車の中の電源を通じて直線運動をするモータが１ストローク起動することを特徴とするレール用置き石掃除装置。
【考案の詳細な説明】
【技術分野】
【０００１】  本考案は、電車の通るレールに置き石があった場合に、早期発見し車輪が置き石を踏む前に掃除ができるレール用置き石掃除装置に関するものである。
【背景技術】
【０００２】  従来、電車の通るレールに置き石があった場合、清掃員などが事前に発見して取り除いておくか運転士が電車を止めて取り除くか、またはそのまま踏んで通過していました。
【考案の開示】
【考案を解決しようとする課題】
【０００３】  そのために次のような問題点があった。
（イ）清掃員などが事前に発見して取り除いておく場合は、人手も必要になるし電車が通るまでの時間差などで完全には防げない点があった。
（ロ）そのまま踏んで通過する場合は、カーブを曲がるときやスピードがかなり出ているときは、小さな石であっても車体が浮いて脱線してしまう可能性があった。
本考案は、以上の問題点を解決するためのものである。
【課題を解決するための手段】
【０００４】  電車の正面の上部分に、光線スイッチなどを利用したセンサーを設け、電車の正面の下部分に、上下可動式モップを設ける。上下可動式モップに、リニアステッピングモータなどの直線運動をするモータを設ける。センサーが感知しスイッチが入ると、電車の中の電源を通じて直線運動をするモータが１ストローク起動する。以上を特徴とするレール用置き石掃除装置である。
【考案の効果】
【０００５】  本案は、電車の正面の上部分にセンサーを取り付けるため、センサーの欠点である可変角の狭さによる感知範囲を、高さによって底辺距離を長くすることから広がり早期発見できるので、上下可動式モップの動作が置き石を車輪で踏んでしまう前に掃除が行える。また本案によって、レールを掃除するための清掃員も必要なくなり、運転士が電車を止めて取り除くような時間のロスも無くなり、そのまま踏んで車体が浮いて脱線してしまうような事故の可能性を少なくすることもできる。
【考案を実施するための最良の形態】
【０００６】  以下、本考案の実施の形態を説明する。
（イ）  電車の正面の上部分に、光線スイッチなどを利用したセンサー（１）を設ける。
（ロ）  電車の正面の下部分に、上下可動式モップ（２）を設ける。
（ハ）  上下可動式モップ（２）に、リニアステッピングモータなどの直線運動をするモータ（３）を設ける。
（ニ）  センサー（１）が感知しスイッチが入ると、電車の中の電源を通じて直線運動をするモータ（３）が１ストローク起動するようにする。
本案は以上のような構造でこれを使用するときは、センサー（１）によってレール（４）と置き石（５）の高低差を検知したら、上下可動式モップ（２）の直線運動をするモータ（３）が１ストローク起動し、レール（４）の置き石（５）を上下可動式モップ（２）によって掃除させる。
【図面の簡単な説明】
【０００７】
【図１】本考案の側面図
【図２】本考案の上下可動式モップの断面図
【符号の説明】
【０００８】  １センサー
２上下可動式モップ
３直線運動をするモータ
４レール
５置き石
【図１】
0003114540.tif 000003
【図２】
0003114540.tif 000004
(57)【要約】【課題】  板状材料に於いて、剛性および柔軟性を有するフレキシブル板状材料の構造を提供する。【解決手段】  連接する複数の硬質板状体１および柔軟性を有した線状体２を備える板状材料に於いて、それぞれの該硬質板状体１の側面上下の複数部位に左右側面が貫通する穴３を設け、さらに該穴３に柔軟性を有する線状体２を貫通させて前述の複数の該硬質板状体１を連結したことで、隣接する硬質板状体１の間で折り曲げることができるフレキシブル板状材料の構造とした。【選択図】図２
0003114537.tif 000002
【実用新案登録請求の範囲】
【請求項１】
連接する複数の硬質板状体および柔軟性を有した線状体を備える板状材料に於いて、それぞれの該硬質板状体の側面上下の複数部位に左右側面が貫通する穴を設けて、さらに該穴に柔軟性を有した線状体を貫通させて前述の複数の該硬質板状体を連結して、隣接する硬質板状体の間で折り曲げることができるようにしたことを特徴とするフレキシブル板状材料の構造。
【考案の詳細な説明】
【技術分野】
【０００１】  本考案はフレキシブル板状材料の構造に関するものである。
【背景技術】
【０００２】  一般的に、板状材料を用いて作業する場合、複数の板状材料の接合を繰り返すといった手順で、効率面で問題を有するものであった。
【考案の開示】
【考案が解決しようとする課題】
【０００３】  板状材料に於いて、剛性および柔軟性を有するフレキシブル板状材料の構造を提供する。
【課題を解決するための手段】
【０００４】  本考案は、連接する複数の硬質板状体１および柔軟性を有した線状体２を備える板状材料に於いて、それぞれの該硬質板状体１の側面上下の複数部位に左右側面が貫通する穴３を設け、さらに該穴に柔軟性を有した線状体２を貫通させて前述の複数の該硬質板状体１を連結したことで、隣接する硬質板状体１の間で折り曲げることができるフレキシブル板状材料の構造とした。
【考案の効果】
【０００５】  本考案によれば、フレキシブル板状材料の構造は、柔軟性を有した線状体２で複数の硬質板状体１を連結したことで、隣接する硬質板状体１の間で折り曲げることができ、用途に合わせた変形が可能であることから、壁板や床板、または衝立などを製造する際の板状材料として用いることができ作業も効率的に行える。
【考案を実施するための最良の形態】
【０００６】  以下、本考案の実施の形態について、図面を参照して説明する。
図１に示すように、連接する複数の硬質板状体１および柔軟性を有した線状体２を備える板状材料に於いて、それぞれの該硬質板状体１の側面上下の複数部位に左右側面が貫通する穴３を設け、さらに該穴３に柔軟性を有した線状体２を貫通させて前述の複数の該硬質板状体１を連結したことで、隣接する硬質板状体１の間で折り曲げることができるフレキシブル板状材料の構造とした。
【図面の簡単な説明】
【０００７】
【図１】  本考案にかかるフレキシブル板状材料の構造の構成を示す分解斜視図である。
【図２】  本考案にかかるフレキシブル板状材料の構造の硬質板状体と柔軟性を有した線状体を組み合わせた状態を示す概略斜視図である。
【図３】  図２のＡ−Ｂ矢視部分断面図である。
【図４】  硬質板状体と硬質板状体に設けた穴と柔軟性を有した線状体を示す概略斜視図である。
【符号の説明】
【０００８】  １  硬質板状体
２  柔軟性を有した線状体
３  穴
【図１】
0003114537.tif 000003
【図２】
0003114537.tif 000004
【図３】
0003114537.tif 000005
【図４】
0003114537.tif 000006
(57)【要約】【課題】本考案は、内部に植物が収容される収容空間の開口部からの給水が不可能な場合でも植物への給水を可能とする花器を提供しようとするものである。【解決手段】本考案は、内部に植物が収容される収容空間を備えてなる花器本体に、該収容空間の開口部の他に該収容空間に収められた植物の根圏又は茎の切り口の付近に直接給水できる給水口をすくなくとも１つ備え、該給水口は花器本体に挿入口を設け弾性素材のチューブを該挿入口に装着して設け、該収容空間の開口部に可塑性素材の板に吸水性素材のシートを貼り付けた受け部を設け、開口部からの給水が不可能な場合においても植物への給水を可能とし、また開口部および給水口からの水漏れも防ぐことを可能とする花器を提供する。【選択図】図１
0003114531.tif 000002
【実用新案登録請求の範囲】
【請求項１】
内部に植物が収容される収容空間を備えてなる花器本体に、該収容空間の開口部の他に該収容空間に収められた植物の根圏又は茎の切り口の付近に直接給水できる給水口を少なくとも１つ備えていることを特徴とする花器。
【請求項２】
前記花器本体の給水口が該収容空間の開口部を水平方向又は略水平方向に向けて置く状態で花器本体の上方に設けられていることを特徴とする請求項１に記載の花器。
【請求項３】
前記花器本体に挿入口を設け、弾性素材のチューブを該挿入口に装着した給水口を設けたことを特徴とする請求項１又は請求項２に記載の花器。
【請求項４】
前記花器本体の該収容空間の開口部を水平方向又は略水平方向に向けて置く状態で、該開口部の下半部に可撓性素材の板に吸水性素材のシートを貼り付けた受け部を設けたことを特徴とする請求項１又は請求項２又は請求項３に記載の花器。
【考案の詳細な説明】
【技術分野】
【０００１】
本考案は、内部に植物が収容される収容空間の開口部からの給水が不可能な場合でも植物への給水を可能とする花器を提供しようとするものである。
【背景技術】
【０００２】
たとえば、特開２００３−３３３９３３号公報では、植木鉢を傾けて配置した場合の植木鉢内の用土が零れ落ちることを防ぐために、土止めを配置するもので、土の零れ落ちることは考慮されているが、水滴が漏れ落ちることで、開口部からの灌水が不可能な場合は考慮されていない。
【０００３】
【特許文献１】特開２００３−３３３９３３号公報
【考案の開示】
【考案が解決しようとする課題】
【０００４】
上記に参照した文献例のように、傾けて配置した場合の植木鉢は戸外を想定しているため、土が零れ落ちることを防ぐことに重点を置き、灌水については開口部からの灌水を想定しており、開口部からの灌水が不可能な場合は想定されていない、また灌水時の水漏れを防ぐことも考慮されていない、またこの土止めは複雑な構造で、簡便さについても最適なものとは言い難い。
【０００５】
室内において花器本体の内部に植物が収容される収容空間の開口部から灌水することが困難な場合に、該収容空間に収められた植物の根圏又は茎の切り口の付近に直接給水できるようにする課題が生じる。
【０００６】
したがって、本考案は、花器本体の内部に植物が収容される収容空間の開口部から灌水することが困難な場合に、該収容空間に収められた植物の根圏又は茎の切り口の付近に直接給水が可能で、花器本体からの水漏れがなく灌水可能な花器を提供しようとするものである。
【課題を解決するための手段】
【０００７】
請求項１は、内部に植物が収容される収容空間を備えてなる花器本体に、該収容空間の開口部の他に該収容空間に収められた植物の根圏又は茎の切り口の付近に直接給水できる給水口を少なくとも１つ備えていることを特徴とする花器。
【０００８】
請求項２は、前記花器本体の給水口が該収容空間の開口部を水平方向又は略水平方向に向けて置く状態で花器本体の上方に設けられていることを特徴とする請求項１に記載の花器。
【０００９】
請求項３は、前記花器本体に挿入口を設け、弾性素材のチューブを該挿入口に装着した給水口を設けたことを特徴とする請求項１又は請求項２に記載の花器。
【００１０】
請求項４は、前記花器本体の該収容空間の開口部を水平方向又は略水平方向に向けて置く状態で、該開口部の下半部に可撓性素材の板に吸水性素材のシートを貼り付けた受け部を設けたことを特徴とする請求項１又は請求項２又は請求項３に記載の花器。
【考案の効果】
【００１１】
本考案は、内部に植物が収容される収容空間を備えてなる花器本体に、該収容空間の開口部の他に該収容空間に収められた植物の根圏又は茎の切り口の付近に直接給水できる給水口を少なくとも１つ備えていることで、開口部から灌水できない場合に、植物の根部又は茎の切り口付近に直接給水することが可能となる。
【００１２】
花器本体の給水口が該収容空間の開口部を水平方向又は略水平方向に向けて置く状態で花器本体の上方に設けられていることで、灌水時に給水口からの水漏れを防ぐ効果がある。
【００１３】
花器本体に挿入口を設け、弾性素材のチューブを該挿入口内壁に装着した給水口を設けたことで、灌水器のノズル部分を該給水口に挿入して灌水する際、チューブの内壁と灌水器のノズル部分が密着し、該給水口からの水漏れが防止される効果がある。
【００１４】
花器本体の該収容空間の開口部を水平方向又は略水平方向に向けて置く際、該開口部の下半部に可撓性素材の板に吸水性素材のシートを貼り付けた受け部を設けることで、該開口部からの水漏れを防ぎ、室内の場合でも周囲を汚すことなく灌水することが可能となる。
【考案を実施するための最良の形態】
【００１５】
以下、添付図面に従って実施例を説明する。図１に花器全体を示す。花器本体１は木材、合成樹脂材、陶磁材、金属材、石材、ガラス材、紙材、繊維材、皮革材等の適宜素材にて形成され、内部に植物が収容される収容空間を備え、該収容空間の開口部２を備え、また給水口３ａが備えられる。給水口３ａは該収容空間の開口部２を水平方向に向けた場合、花器本体の上方に備えられる。また開口部２には受け部４が設けられる。
【００１６】
図２で示したように、花器本体１の挿入口３ｃにはシリコンゴム、ポリエチレン、ビニール、ゴム等の弾性素材のチューブ３ｂが装着される。また開口部２には受け部４が設けられるが、該受け部はプラスチック、ビニール、ポリエチレンテレフタレートなどの可塑性素材の板４ａにレーヨン、ポリエステル、ポリプロピレン、ポリエチレンの不織布、ＰＶＡスポンジ等の吸水シート４ｂを該板４ａの片面又は両面に接着してなる。
【００１７】
図３は、花器本体に備えられた給水口に、灌水器５のノズル部分６を挿入したところを示すものである。
【図面の簡単な説明】
【００１８】
【図１】本考案の花器の実施例の透視斜視図である。
【図２】本考案の花器の実施例の各部の装着前の透視斜視図である。
【図３】本考案の花器の実施例の使用状況の斜視図である。
【符号の説明】
【００１９】
１    花器本体
２    収容空間の開口部
３ａ  給水口
３ｂ  チューブ
３ｃ  挿入口
４    受け部
４ａ  受け部板
４ｂ  受け部吸水シート
５    灌水器
６    ノズル部分
【図１】
0003114531.tif 000003
【図２】
0003114531.tif 000004
【図３】
0003114531.tif 000005
(57)【要約】      （修正有）【課題】聞きたい方向の音を外耳と同じような働きで集音し周囲の音を和らげ、鼓膜の役割をマイクに伝えるための補聴器の欠点を軽減する事ができる。【解決手段】非塩化ビニール樹脂を盃状に形成し中央に開孔し、底部５に非塩化ビニールチューブの一端を連結して、連結していないチューブの一端をポケット形補聴器のマイク部に連結する集音補助器具。【選択図】図２
0003114551.tif 000002
【実用新案登録請求の範囲】
【請求項１】
非塩化ビニール樹脂を素材として盃状に成形し中央底部に孔を明け非塩化ビニール製チューブの一端を連結させ更に連結していないチューブの一端をポケット形補聴器マイク部に連結する集音補助器具。
【考案の詳細な説明】
【技術分野】
【０００１】  この発明は非塩化ビニール樹脂を盃状に成形し中央に開孔した
【図１】
５底部に非塩化ビニールチューブの一端を連結して、連結していないチューブの一端をポケット形補聴器のマイク部に連結する集音補助器具に関するものである。
【背景技術】
【０００２】  補聴器が含まれる公開公報６８６件の中には当発明に類似する公開は無い。
【考案の開示】
【考案が解決しよぅとする課題】
【０００３】  補聴器の欠点はマイクが耳の外に露出している為、周囲の不用な音が雑音に成り、ボリュームを上げれば逆に聞きたい音が判別できなくなる。
本考案は補聴器使用者全ての悩みを少しでも軽減しようとするものである。
【課題を解決する為の手段】
【０００４】  本考案はポケット形補聴器のマイク部
【図２】
４を鼓膜、
【図２】
２、３を外耳に見立て補聴器１と
【図３】
２、３を一体にするものである。
【考案の効果】
【０００５】  本考案を
【図３】
の様に構成する事により人工耳の完成である。
（イ）最も旧式のポケット形補聴器が低価格で雑音を軽減することができる。
（ロ）集音補助器具は衛星放送のアンテナに似たデザインでアクセサリー感覚で利用できる。
（ハ）降雨時に補聴器が濡れるのを防げる。
【考案を実施するための最良の形態】
【０００６】  本発明の流れを説明する。
（イ）非塩化ビニール樹脂を成形する。
（ロ）非塩化ビニール樹脂のチューブを曲げ加工する。
【実施例】
【０００７】  盃状に成形されたチューブ差し込み口
【図３】
６に接着剤をつけ、曲げ加工したチューブ
【図３】
３を差し込み補聴器マイク部
【図２】
４に接着、若しくは成形加工されたマイク部
【図４】
７にチューブをはめ込む。
【図面の簡単な説明】
【０００８】（図１）本考案の補聴器集音補助器具と補聴器を連結した正面図である。
（図２）本考案の補助器具を補聴器のマイク部に連結した上面図である。
（図３）本考案の補助器具を補聴器に連結した側面図である。
（図４）補聴器上面にチューブ連結のため成形された符号７の形状を現わす正面図である。
【符号の説明】
【０００９】１、  補聴器
２、  盃状成形樹脂
３、  樹脂製チューブ
４、  補聴器マイク
５、  盃状樹脂の中央開孔部
６、  チューブ差し込み口
７、  補聴器のチューブ差し込み口
【図１】
0003114551.tif 000003
【図２】
0003114551.tif 000004
【図３】
0003114551.tif 000005
【図４】
0003114551.tif 000006
(57)【要約】      （修正有）【課題】バランスの良いスイングが身に付く練習用具を提供する。【解決手段】ゴルフクラブを傷つけないような軟らかい素材で造った輪状のもの（５０グラム以下）を、ゴルフクラブのグリップをとおして、ゴルフクラブの首部に装着する。これを素振りスイングすると遠心力がより強く働き、クラブを小手先で操作しにくくなります、結果としてクラブヘッドを感じながら、体全体でゆっくりスイングすることが体感でき、輪状のものを取り外してスイングしても、バランスの良いスイングが身に付く。輪状のものは使用者の体力により、２個３個と追加装着し調整ができます。【選択図】図２
0003114554.tif 000002
【実用新案登録請求の範囲】
【請求項１】
ゴルフクラブの首部に、ゴルフクラブのグリップを通して装着することを特徴とする輪状のゴルフクラブ素振り用練習具。
【考案の詳細な説明】
【技術分野】
【０００１】本考案は、ゴルフクラブにグリップを通して装着するゴルフクラブ素振り用練習具に関するものであります。
【背景技術】
【０００２】手軽で効果の上がるゴルフクラブ素振り用練習具ということで考案。
【考案の開示】
【考案が解決しようとする課題】
【０００３】ゴルフのスイングに際し、
（１）クラブヘッドの重さを利用した打ち方ができない。
（２）体全体でなく手打ちになる。
（３）早打ちになりバランスを崩す。等欠点が現れます、
これを簡単に手軽な方法で解決することが課題です。
【課題を解決するための手段】
【０００４】ゴルフクラブを傷つけないような軟らかい素材で輪状のものを造り、それをゴルフクラブのグリップを通し、ゴルフクラブの首部に装着して完成、いたって簡単、手軽であります。
これを素振り練習をすることで課題を解決します。【０００５】輪状のものの重量は５０グラム以下とし、使用者の体力により適宜２個３個と追加装着し調整ができます。
【考案の効果】
【０００６】本考案の輪状のものをゴルフクラブの首部に装着し、素振りスイングすると、ゴルフクラブヘッドの遠心力がより強く働き、クラブを小手先で操作しにくくなります、結果としてクラブヘッドの重さを感じながら、体全体でゆっくりスイングすることが体感できます、輪状のものの脱着は簡単で、輪状のものをはずしても、バランスの良いスイングができるようになります。
【考案を実施するための最良の形態】
【０００７】輪状のものはゴルフクラブを傷つけないよう軟らかい素材で造り、内径はゴルフクラブのグリップをぎりぎり通過する程度がガタが少なくて良い。
重量は５０グラム以下にし、体力に応じて装着個数を増減調整することができるようにします。
【図面の簡単な説明】
【０００８】
【図１】本考案に係わる輪状のものの正面図と側面図
【図２】本考案に係わる輪状のものをゴルフクラブに装着した図
【図１】
0003114554.tif 000003
【図２】
0003114554.tif 000004